【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
第１色帯域、第２色帯域および第３色帯域の光がそれぞれ入射する第１、第２および第３の液晶表示素子からの光を色合成して投射面に投射する画像投射装置であって、
前記各液晶表示素子は、液晶層と、配向膜を介して前記液晶層に電圧を印加するための第１および第２の対向電極とを有し、前記液晶層への印加電圧を増加させると各色帯域の光に付与するリタデーション量が増加する液晶表示素子であり、
前記液晶層への印加電圧を液晶印加電圧とし、前記第１および第２の対向電極間への印加電圧を電極に印加する電圧とするとき、
前記第１の液晶表示素子の白表示時における液晶印加電圧が、前記第２および第３の液晶表示素子の白表示時における液晶印加電圧より小さく、
前記第１の液晶表示素子の黒表示時における液晶印加電圧が、前記第２および第３の液晶表示素子の黒表示時における液晶印加電圧より大きく、かつ前記第１の液晶表示素子の白表示時における液晶印加電圧の１％以上３０％以下の電圧となるように、
前記第１の液晶表示素子の電極印加電圧を制御する制御手段を有することを特徴とする画像投射装置。
【請求項２】
該画像投射装置は、赤帯域、緑帯域および青帯域の光がそれぞれ入射する赤用、緑用および青用液晶表示素子からの光を色合成して前記投射面に投射し、
前記制御手段は、
前記青用液晶表示素子の白表示時における液晶印加電圧が、前記赤用および緑用液晶表示素子の白表示時における液晶印加電圧より小さく、
前記青用液晶表示素子の黒表示時における液晶印加電圧が、前記赤用および緑用液晶表示素子の黒表示時における液晶印加電圧より大きく、かつ該青用液晶表示素子の白表示時における液晶印加電圧の５％以上３０％以下の電圧となるように、
該青用液晶表示素子の電極印加電圧を制御することを特徴とする請求項１に記載の画像投射装置。
【請求項３】
該画像投射装置は、赤帯域、緑帯域および青帯域の光がそれぞれ入射する赤用、緑用および青用液晶表示素子からの光を色合成して前記投射面に投射し、
前記制御手段は、
前記緑用液晶表示素子の白表示時における液晶印加電圧が、前記赤用および青用液晶表示素子の白表示時における液晶印加電圧より小さく、
前記緑用液晶表示素子の黒表示時における液晶印加電圧が、前記赤用および青用液晶表示素子の黒表示時における液晶印加電圧より大きく、かつ該緑用液晶表示素子の白表示時における液晶印加電圧の１％以上１５％以下の電圧となるように、
該緑用液晶表示素子の電極印加電圧を制御することを特徴とする請求項１に記載の画像投射装置。
【請求項４】
該画像投射装置は、赤帯域、緑帯域および青帯域の光がそれぞれ入射する赤用、緑用および青用液晶表示素子からの光を色合成して前記投射面に投射し、
前記制御手段は、
前記赤用液晶表示素子の白表示時における液晶印加電圧が、前記緑用および青用液晶表示素子の白表示時における液晶印加電圧より小さく、
前記赤用液晶表示素子の黒表示時における液晶印加電圧が、前記緑用および青用液晶表示素子の黒表示時における液晶印加電圧より大きく、かつ該赤用液晶表示素子の白表示時における液晶印加電圧の３％以上２０％以下の電圧となるように、
該赤用液晶表示素子の電極印加電圧を制御することを特徴とする請求項１に記載の画像投射装置。
【請求項５】
前記投射面への投影輝度が最小になるように前記３つの液晶表示素子の電極印加電圧が制御されたときの投影輝度をＢｋとし、
前記３つの液晶表示素子の白表示時における投影輝度をＷとし、
前記投影輝度Ｗと前記投影輝度Ｂｋとの比であるＷ／ＢｋをコントラストＣＲとし、
前記３つの液晶表示素子の黒表示時における投影輝度とし、
前記投影輝度Ｗと前記投影輝度Ｂｋ’との比であるＷ／Ｂｋ’をコントラストＣＲ’とするとき、
前記制御手段は、
１／ＣＲ−１／ＣＲ’＝１／Ａ  
Ａ＞５００００
なる条件を満たすように、前記各液晶表示素子の黒表示時における電極印加電圧を制御することを特徴とする請求項２から４のいずれか１つに記載の画像投射装置。
【請求項６】
第１色帯域、第２色帯域および第３色帯域の光がそれぞれ入射する第１、第２および第３の液晶表示素子からの光を色合成して投射面に投射する画像投射装置であって、
前記各液晶表示素子は、液晶層と、配向膜を介して前記液晶層に電圧を印加するための第１および第２の対向電極とを有し、前記液晶層への印加電圧を増加させると各色帯域の光に付与するリタデーション量が減少する液晶表示素子であり、
前記液晶層への印加電圧を液晶印加電圧とし、前記第１および第２の対向電極間への印加電圧を電極に印加する電圧とするとき、
前記第１の液晶表示素子の白表示時における液晶印加電圧が、前記第２および第３の液晶表示素子の白表示時における液晶印加電圧より大きく、
前記第１の液晶表示素子の黒表示時における液晶印加電圧が、前記第２および第３の液晶表示素子の黒表示時における液晶印加電圧より大きくなるように、
前記第１の液晶表示素子の電極印加電圧を制御する制御手段を有することを特徴とする画像投射装置。
【請求項７】
請求項１から６のいずれか１つに記載の画像投射装置と、
該画像投射装置に画像情報を供給する画像供給装置とを有することを特徴とする画像表示システム。
【手続補正２】
【補正対象書類名】明細書
【補正対象項目名】０００５
【補正方法】変更
【補正の内容】
【０００５】
また、以上のようなＴＮ液晶表示素子のほかに、いわゆるＶＡＮ(Vertical Arrangement Nematic)液晶表示素子もある。ＶＡＮ液晶表示素子は、透明電極を有する第１の基板と、２次元光学スイッチとして画素形状に配列された第２の基板、配線およびスイッチング素子等を有する回路基板との間に、誘電異方性が正のネマチック液晶を封入して構成されている。ネマチック液晶は、液晶分子の長軸を２枚の基板間に対してほぼ垂直にホメオトロピック配向されている。
【手続補正３】
【補正対象書類名】明細書
【補正対象項目名】０００７
【補正方法】変更
【補正の内容】
【０００７】
具体的には、液晶層の電圧無印加状態では、液晶分子の長軸が２枚の基板に対してほぼ垂直にホメオトロピック配向されている。このため、所定方向の偏光軸を有する偏光光が液晶表示素子に入射しても、リタデーションはほとんど付与されない。そして、液晶の印加電圧が大きくなるほど、液晶分子のダイレクタ方向が２枚の基板間で連続的に捩れて（ツイストして）いき、所定方向の偏光軸を有する偏光光に与えられるリタデーションが増加する。このような液晶表示素子は、ノーマリブラック（モード）の液晶表示素子と呼ばれる。
【手続補正４】
【補正対象書類名】明細書
【補正対象項目名】００１０
【補正方法】変更
【補正の内容】
【００１０】
図１３において、１は透明電極を有するガラス基板、２は反射画素電極を示す。反射画素電極２のうち、２ａは電圧無印加状態の黒表示状態にある反射画素電極、２ｂは電圧印加状態の白表示状態にある反射画素電極を示す。３は液晶層、４は液晶分子で楕円長軸方向が液晶分子のダイレクタ方向である。５は透明電極、６は透明電極５に蒸着された配向膜、７は反射画素電極２に蒸着された配向膜を示す。８は不図示のクロスニコル偏光板で液晶表示素子を挟んだときの光反射率分布を示す。９は液晶層３に発生する横電界を示す。
【手続補正５】
【補正対象書類名】明細書
【補正対象項目名】００２２
【補正方法】変更
【補正の内容】
【００２２】
また、図１７には、全画素白表示時の画像を示す。この画像における１０１は、各波長帯域において最大光利用効率を得るための電圧が印加された画素である。
【手続補正６】
【補正対象書類名】明細書
【補正対象項目名】００２３
【補正方法】変更
【補正の内容】
【００２３】
図１６と図１７の投影画像の色を比較すると、図１７での光帯域比率は赤帯域：緑帯域：青帯域＝１：１：１のカラーバランスであり、図１６での光帯域比率は赤帯域：緑帯域：青帯域＝５．６：５．０：４．１のカラーバランスとなる。このため、図１７の全画素白表示時のカラーバランスに対して、図１６の白文字表示時のカラーバランスは、特に青帯域の比率が低く、文字が黄色側に色シフトした色味となる。
【手続補正７】
【補正対象書類名】明細書
【補正対象項目名】００２５
【補正方法】変更
【補正の内容】
【００２５】
以上のように、１画素および１ラインの文字や市松模様等を投影画像として出力するとき、液晶表示素子の横電界の影響で、全画素白表示時の色味と異なる色味が生じる。これにより、投影画像の品位が低下する。
【手続補正８】
【補正対象書類名】明細書
【補正対象項目名】００２９
【補正方法】変更
【補正の内容】
【００２９】
本発明の一側面としての画像投射装置は、第１色帯域、第２色帯域および第３色帯域の光がそれぞれ入射する第１、第２および第３の液晶表示素子からの光を色合成して投射面に投射する画像投射装置であって、各液晶表示素子は、液晶層と、配向膜を介して液晶層に電圧を印加するための第１および第２の対向電極とを有し、液晶層への印加電圧を増加させると各色帯域の光に付与するリタデーション量が増加する液晶表示素子であり、液晶層への印加電圧を液晶印加電圧とし、第１および第２の対向電極間への印加電圧を電極に印加する電圧とするとき、第１の液晶表示素子の白表示時における液晶印加電圧が、第２および第３の液晶表示素子の白表示時における液晶印加電圧より小さく、第１の液晶表示素子の黒表示時における液晶印加電圧が、第２および第３の液晶表示素子の黒表示時における液晶印加電圧より大きく、かつ第１の液晶表示素子の白表示時における液晶印加電圧の１％以上３０％以下の電圧となるように、第１の液晶表示素子の電極印加電圧を制御する制御手段を有することを特徴とする。
【手続補正９】
【補正対象書類名】明細書
【補正対象項目名】００３０
【補正方法】変更
【補正の内容】
【００３０】
また、本発明の他の側面としての画像投射装置は、第１色帯域、第２色帯域および第３色帯域の光がそれぞれ入射する第１、第２および第３の液晶表示素子からの光を色合成して投射面に投射する画像投射装置であって、各液晶表示素子は、液晶層と、配向膜を介して前記液晶層に電圧を印加するための第１および第２の対向電極とを有し、液晶層への印加電圧を増加させると各色帯域の光に付与するリタデーション量が減少する液晶表示素子であり、液晶層への印加電圧を液晶印加電圧とし、第１および第２の対向電極間への印加電圧を電極に印加する電圧とするとき、第１の液晶表示素子の白表示時における液晶印加電圧が、第２および第３の液晶表示素子の白表示時における液晶印加電圧より大きく、第１の液晶表示素子の黒表示時における液晶印加電圧が、第２および第３の液晶表示素子の黒表示時における液晶印加電圧より大きくなるように、第１の液晶表示素子の電極印加電圧を制御する制御手段を有することを特徴とする。
【手続補正１０】
【補正対象書類名】明細書
【補正対象項目名】００３５
【補正方法】変更
【補正の内容】
【００３５】
図１において、３０３は制御手段としての液晶ドライバである。この液晶ドライバ３０３には、パーソナルコンピュータ、ＤＶＤプレーヤ、テレビチューナ等の画像供給装置３５０からのビデオ信号（画像情報）が入力される。液晶ドライバ３０３は、該ビデオ信号を、反射型液晶表示素子であるレッド（Ｒ）用液晶表示素子３Ｒ(第２または第３の液晶表示素子：赤用液晶表示素子)、グリーン（Ｇ）用液晶表示素子３Ｇ(第２または第３の液晶表示素子：緑用液晶表示素子)およびブルー（Ｂ）用液晶表示素子３Ｂ（第１の液晶表示素子：青用液晶表示素子）の駆動信号に変換する。これにより、レッド用液晶表示素子３Ｒ、グリーン用液晶表示素子３Ｇおよびブルー用液晶表示素子３Ｂはそれぞれ独立に制御される。プロジェクタと画像供給装置３５０により画像表示システムが構成される。
【手続補正１１】
【補正対象書類名】明細書
【補正対象項目名】００３６
【補正方法】変更
【補正の内容】
【００３６】
図４に示す各液晶表示素子の構造は、図１３に示したものと同じである。１はガラス基板、２（２ａ，２ｂ）は反射画素電極を示す。３は液晶層、４は液晶分子で楕円長軸方向が液晶分子のダイレクタ方向であり、５は反射画素電極２と対向電極を構成する透明電極である。６は透明電極５に蒸着された配向膜、７は反射画素電極２に蒸着された配向膜を示す。
【手続補正１２】
【補正対象書類名】明細書
【補正対象項目名】００３７
【補正方法】変更
【補正の内容】
【００３７】
液晶ドライバ３０３は、各液晶表示素子の液晶層３の厚み方向に印加される電圧（以下、液晶印加電圧という）が後述する電圧値となるように、対向電極２，５（第１および第２の対向電極）間に印加する電圧（以下、電極印加電圧という）を制御する。
【手続補正１３】
【補正対象書類名】明細書
【補正対象項目名】００４１
【補正方法】変更
【補正の内容】
【００４１】
次に、ブルー光成分（第１色帯域）は、第１の偏光ビームスプリッタ３１０にＰ偏光として入射し、その偏光分離膜を透過して、ブルー用液晶表示素子３Ｂに導かれる。また、レッド光成分（第２色帯域または第３色帯域）は、第１の偏光ビームスプリッタ３１０にＳ偏光として入射し、その偏光分離膜で反射されてレッド用液晶表示素子３Ｒに導かれる。
【手続補正１４】
【補正対象書類名】明細書
【補正対象項目名】００４２
【補正方法】変更
【補正の内容】
【００４２】
一方、ダイクロイックミラー３０５を透過したグリーン光成分（第２色帯域または第３色帯域）は、光路長を補正するためのダミーガラス３０６を通過した後、第２の偏光ビームスプリッタ３０７に入射する。図の紙面に垂直な偏光方向を有するグリーン光成分は、第２の偏光ビームスプリッタ３０７の偏光分離膜に対してＳ偏光であるため、ここで反射されてグリーン用液晶表示素子３Ｇに導かれる。
【手続補正１５】
【補正対象書類名】明細書
【補正対象項目名】００４４
【補正方法】変更
【補正の内容】
【００４４】
各液晶表示素子は、入射した照明光（偏光光）に対して、該液晶表示素子上に配列された画素の変調状態に応じてリタデーションを与える。各液晶表示素子からの反射光のうち、照明光と同じ方向の偏光成分は、照明光の光路を概ね引き返して光源ランプ側に戻る。
【手続補正１６】
【補正対象書類名】明細書
【補正対象項目名】００４６
【補正方法】変更
【補正の内容】
【００４６】
レッド用液晶表示素子３Ｒから射出した図の紙面に水平な偏光方向の直線偏光であるレッド光成分は、第１の偏光ビームスプリッタ３１０の偏光分離膜をＰ偏光として透過し、次にレッドクロスカラー偏光子３１２を透過する。レッドクロスカラー偏光子３１２は、レッド光成分に半波長のリタデーションを与える。これにより、レッド光成分は、図の紙面に垂直な偏光方向を有する直線偏光に変換される。そして、該レッド光成分は、第３の偏光ビームスプリッタ３０８にＳ偏光として入射し、その偏光分離膜で反射して、投影光学系３０４に導かれる。
【手続補正１７】
【補正対象書類名】明細書
【補正対象項目名】００４９
【補正方法】変更
【補正の内容】
【００４９】
第３の偏光ビームスプリッタ３０８で色合成されたレッド、グリーンおよびブルー光成分は、投影光学系３０４の入射瞳によって捕らえられ、光拡散スクリーン（投射面）３１３に転送される。各液晶表示素子の光変調面とスクリーン３１３の光拡散面とが投影光学系３０４によって光学的に共役な関係に配されているため、スクリーン３１３上には、ビデオ信号に応じた画像が投射（表示）される。なお、レッド用液晶表示素子３Ｒ、グリーン用液晶表示素子３Ｇおよびブルー用液晶表示素子３Ｂは、対応する画素からの光がスクリーン３１３上において所定の精度で重なるように調整されている。
【手続補正１８】
【補正対象書類名】明細書
【補正対象項目名】００５０
【補正方法】変更
【補正の内容】
【００５０】
なお、本実施例の各液晶表示素子は、図４に示す構造を有するＶＡＮ反射型液晶表示素子である。また、各液晶表示素子は、液晶層に印加する電圧が増加するとリタデーション（光に付与するリタデーション量）が増加して投影画像を白表示とするノーマリブラックの液晶表示素子である。
【手続補正１９】
【補正対象書類名】明細書
【補正対象項目名】００５３
【補正方法】変更
【補正の内容】
【００５３】
レッド用液晶表示素子３Ｒ、グリーン用液晶表示素子３Ｇおよびブルー用液晶表示素子２Ｂの反射率（つまりは各液晶表示素子で反射してスクリーン３１３に投射される光の出力：以下、投影反射出力という）の液晶印加電圧依存性を、図１４に示す。図１４は、レッド用液晶表示素子３Ｒ、グリーン用液晶表示素子３Ｇおよびブルー用液晶表示素子３Ｂの反射率の最大値を１００％で規格化したガンマ特性を示す。
【手続補正２０】
【補正対象書類名】明細書
【補正対象項目名】００５６
【補正方法】変更
【補正の内容】
【００５６】
図２の横軸は、入力信号（デジタル１０ｂｉｔ）、縦軸は液晶表示素子の液晶印加電圧に対応する比例値（デジタル１０ｂｉｔ）を示す。この比例値は、各液晶表示素子において最大反射率となる液晶印加電圧（以下、最大反射率電圧という）を１０ｂｉｔの最大である１０２３で規格化した値である。このとき、横軸のデジタル値０は、液晶表示素子３Ｒ，３Ｇ，３Ｂの黒表示時の設定値であり、最大デジタル値１０２３は、白表示時の設定値である。また、図３には、図２のデジタル値０付近の領域を拡大して示している。
【手続補正２１】
【補正対象書類名】明細書
【補正対象項目名】００６１
【補正方法】変更
【補正の内容】
【００６１】
従来のＶＴガンマ特性を用いる場合、各液晶表示素子において、白表示画素を最大反射率電圧に設定し、黒表示画素を０Ｖに設定する。このため、横電界の影響を受け易い市松模様画像のカラーバランスは、図１５に示した反射率比から、レッド用液晶表示素子：５６％、グリーン用液晶表示素子：５０％、ブルー用液晶表示素子：４１％となり、青色が低下して黄色味がかかったものとなる。したがって、全画素白表示時の色味ｘ：０．３０５，ｙ：０．３６５に対して、市松模様画像の色味はｘ：０．３１０，ｙ：０．３８５近傍となり、色味がシフトする。
【手続補正２２】
【補正対象書類名】明細書
【補正対象項目名】００６５
【補正方法】変更
【補正の内容】
【００６５】
これに対し、本実施例のようにブルー用液晶表示素子３Ｂの黒表示画素２ａの液晶印加電圧を持ち上げることで、白表示画素２ｂの液晶印加電圧との差が小さくなる。これにより、横電界９が図１３に示した従来の場合に比べて小さくなる。したがって、液晶配向不良領域が少なくなり、図４中に８Ｂｋで示すように、反射率が全体的に高くなる。
【手続補正２３】
【補正対象書類名】明細書
【補正対象項目名】００７０
【補正方法】変更
【補正の内容】
【００７０】
ブルー用液晶表示素子３Ｂの黒表示画素の液晶印加電圧は、色味４０２では０．００Ｖ、４０３では０．１３Ｖ、４０４では０．２６Ｖ、４０５では０．４０Ｖ、４０６では０．５３Ｖ、４０７では０．６６Ｖである。そして、これらの黒表示画素の液晶印加電圧の白表示画素の液晶印加電圧４．５Ｖとの比は、色味４０２では０．０％、４０３では２．９％、４０４では５．８％、４０５では８．９％、４０６では１１．８％、４０７では１４．７％となる。ブルー用液晶表示素子３Ｂの黒表示画素の液晶印加電圧を大きくすることで、白表示画素の反射率が高くなり、白表示画像における青帯域の光が加算される。色味４０６の場合の液晶印加電圧の設定において、最も市松模様画像の色味が全画素白表示画像の色味４０１に近づく。
【手続補正２４】
【補正対象書類名】明細書
【補正対象項目名】００７８
【補正方法】変更
【補正の内容】
【００７８】
図７には、本発明の実施例２におけるガンマ特性を示す。この図は、入力ビデオ信号に対して、投影反射率出力が２．２乗の曲線を描くように決定されたＶＴガンマ特性を示す。図７の横軸は、入力信号（デジタル１０ｂｉｔ）、縦軸は液晶表示素子の液晶印加電圧に対応する比例値（デジタル１０ｂｉｔ）を示す。この比例値は、各液晶表示素子において最大反射率となる液晶印加電圧（以下、最大反射率電圧という）を１０ｂｉｔの最大である１０２３で規格化した値である。
【手続補正２５】
【補正対象書類名】明細書
【補正対象項目名】００８５
【補正方法】変更
【補正の内容】
【００８５】
従来のＶＴガンマ特性を用いる場合、レッド、グリーンおよびブルー用液晶表示素子において、白表示画素の液晶印加電圧をそれぞれ、４．８Ｖ，４．３Ｖ，４．５Ｖに設定し、黒表示画素を０Ｖに設定する。このため、横電界の影響を受け易い市松模様画像のカラーバランスは、図１５に示した反射率比から、レッド用液晶表示素子：４７％、グリーン用液晶表示素子：３３％、ブルー用液晶表示素子：４１％となり、緑色が低下してマゼンダ色味がかかったものとなる。したがって、全画素白表示時の色味ｘ：０．２９，ｙ：０．３４に対して、市松模様画像の色味はｘ：０．２９５，ｙ：０．３２０近傍となり、色味がシフトする。
【手続補正２６】
【補正対象書類名】明細書
【補正対象項目名】００８６
【補正方法】変更
【補正の内容】
【００８６】
これに対し、本実施例では、グリーン用液晶表示素子３Ｇの駆動信号（電極印加電圧）を以下のように制御する。まず、グリーン用液晶表示素子３Ｇの白表示時における液晶印加電圧が、レッド用およびブルー用液晶表示素子３Ｇ，３Ｂの白表示時における液晶印加電圧より小さくなるように該電極印加電圧を制御する。この場合、グリーン用液晶表示素子３Ｇの黒表示時における液晶印加電圧が、レッド用およびブルー用液晶表示素子３Ｒ，３Ｂの黒表示時における液晶印加電圧より大きくなるように該電極印加電圧を制御する。しかも、グリーン用液晶表示素子３Ｇの黒表示時における液晶印加電圧が、グリーン用液晶表示素子３Ｇの白表示時における液晶印加電圧の１％以上３０％以下、好ましくは１％以上１５％以下の電圧となるように該電極印加電圧を制御する。
【手続補正２７】
【補正対象書類名】明細書
【補正対象項目名】００８９
【補正方法】変更
【補正の内容】
【００８９】
図９において、５０１は全画素白表示画像の色味である。５０２は３つの液晶表示素子３Ｒ，３Ｇ，３Ｂの黒表示画素の液晶印加電圧を０Ｖに、該３つの液晶表示素子３Ｒ，３Ｇ，３Ｂの白表示画素の液晶印加電圧がそれぞれ、４．８Ｖ，４．３Ｖ，５．０Ｖに設定されているときの色味である。
【手続補正２８】
【補正対象書類名】明細書
【補正対象項目名】００９１
【補正方法】変更
【補正の内容】
【００９１】
グリーン用液晶表示素子３Ｇの黒表示画素の液晶印加電圧は、色味５０２では０．００Ｖ、５０３では０．１５Ｖ、５０４では０．２９Ｖ、５０５では０．４４Ｖ、５０６では０．５９Ｖである。そして、これらの黒表示画素の液晶印加電圧の白表示画素の液晶印加電圧５．０Ｖとの比は、色味５０２では０．０％、５０３では２．９％、５０４では５．９％、５０５では８．８％、５０６では１１．７％となる。グリーン用液晶表示素子３Ｇの黒表示画素の液晶印加電圧を大きくすることで、白表示画素の反射率が高くなり、白表示画像における緑帯域の光が加算される。色味５０４の場合の液晶印加電圧の設定において、最も市松模様画像の色味が全画素白表示画像の色味５０１に近づく。
【手続補正２９】
【補正対象書類名】明細書
【補正対象項目名】００９５
【補正方法】変更
【補正の内容】
【００９５】
図１０には、本発明の実施例３におけるガンマ特性を示す。この図は、入力ビデオ信号に対して、投影反射率出力が２．２乗の曲線を描くように決定されたＶＴガンマ特性を示す。図１０の横軸は、入力信号（デジタル１０ｂｉｔ）、縦軸は液晶表示素子の液晶印加電圧に対応する比例値（デジタル１０ｂｉｔ）を示す。この比例値は、各液晶表示素子において最大反射率となる液晶印加電圧（以下、最大反射率電圧という）を１０ｂｉｔの最大である１０２３で規格化した値である。
【手続補正３０】
【補正対象書類名】明細書
【補正対象項目名】０１０２
【補正方法】変更
【補正の内容】
【０１０２】
従来のＶＴガンマ特性を用いる場合、レッド、グリーンおよびブルー用液晶表示素子において、白表示画素の液晶印加電圧をそれぞれ、４．２Ｖ，４．６Ｖ，４．５Ｖに設定し、黒表示画素を０Ｖに設定する。このため、横電界の影響を受け易い市松模様画像のカラーバランスは、図１５に示した反射率比から、レッド用液晶表示素子：３１％、グリーン用液晶表示素子：４３％、ブルー用液晶表示素子：４１％となり、赤色が低下してシアン色味がかかったものとなる。したがって、全画素白表示時の色味ｘ：０．２７，ｙ：０．３５に対して、市松模様画像の色味はｘ：０．２５，ｙ：０．３５近傍となり、色味がシフトする。
【手続補正３１】
【補正対象書類名】明細書
【補正対象項目名】０１０３
【補正方法】変更
【補正の内容】
【０１０３】
これに対し、本実施例では、レッド用液晶表示素子３Ｒの駆動信号（電極印加電圧）を以下のように制御する。まず、レッド用液晶表示素子３Ｒの白表示時における液晶印加電圧が、グリーン用およびブルー用液晶表示素子３Ｇ，３Ｂの白表示時における液晶印加電圧より小さくなるように該電極印加電圧を制御する。この場合、レッド用液晶表示素子３Ｒの黒表示時における液晶印加電圧が、グリーン用およびブルー用液晶表示素子３Ｇ，３Ｂの黒表示時における液晶印加電圧より大きくなるように該電極印加電圧を制御する。しかも、レッド用液晶表示素子３Ｒの黒表示時における液晶印加電圧が、レッド用液晶表示素子３Ｒの白表示時における液晶印加電圧の１％以上３０％以下、好ましくは３％以上２０％以下の電圧となるように該電極印加電圧を制御する。
【手続補正３２】
【補正対象書類名】明細書
【補正対象項目名】０１０６
【補正方法】変更
【補正の内容】
【０１０６】
図１２において、６０１は全画素白表示画像の色味である。６０２は３つの液晶表示素子３Ｒ，３Ｇ，３Ｂの黒表示画素の液晶印加電圧を０Ｖに、該３つの液晶表示素子３Ｒ，３Ｇ，３Ｂの白表示画素の液晶印加電圧がそれぞれ、４．２Ｖ，４．６Ｖ，４．５Ｖに設定されているときの色味である。
【手続補正３３】
【補正対象書類名】明細書
【補正対象項目名】０１０８
【補正方法】変更
【補正の内容】
【０１０８】
レッド用液晶表示素子３Ｒの黒表示画素の液晶印加電圧は、色味６０２では０．００Ｖ、６０３では０．１６Ｖ、６０４では０．３２Ｖ、６０５では０．４８Ｖ、６０６では０．６５Ｖである。そして、これらの黒表示画素の液晶印加電圧の白表示画素の液晶印加電圧５．５Ｖとの比は、色味６０２では０．０％、６０３では２．９％、６０４では５．９％、６０５では８．８％、６０６では１１．７％となる。レッド用液晶表示素子３Ｒの黒表示画素の液晶印加電圧を大きくすることで、白表示画素の反射率が高くなり、白表示画像における赤帯域の光が加算される。色味６０５の場合の液晶印加電圧の設定において、最も市松模様画像の色味が全画素白表示画像の色味６０１に近づく。
【手続補正３４】
【補正対象書類名】明細書
【補正対象項目名】０１１５
【補正方法】変更
【補正の内容】
【０１１５】
従来、ノーマリホワイトの液晶表示素子を用いる場合には、以下のように液晶印加電圧を設定していた。すなわち、白表示時（実質的に電圧無印加状態でリタデーションを与える場合）は、ブルー用液晶表示素子の液晶印加電圧を、グリーンおよびレッド用の液晶表示素子の液晶印加電圧より大きく設定していた。また、黒表示時（実質的に最大電圧印加状態でリタデーションを与えない場合）は、ブルー用の液晶表示素子の液晶印加電圧とグリーンおよびレッド用液晶表示素子の液晶印加電圧とを実質的に同じに設定していた。このため、ブルー用液晶表示素子に比べてグリーンやレッド用液晶表示素子の方が横電界の影響を受け易く、白表示が青味がかかるという問題があった。